(57)【要約】【課題】複数種類の規格の異なるケーブル、特にコネクタ内部での接地処理の必要があるケーブルと接地処理の必要のないケーブルとを一のコネクタに接続する場合の接地処理に配慮された配線装置を提供する。【解決手段】配線装置は、第１のケーブルを接続する第１接続部と、第２のケーブルを接続する、前記第１接続部と並列配置される第２接続部と、前記第１接続部と前記第２接続部とを備えるハウジングとを備えている。前記第１接続部は、前記第１のケーブルを収容する収容部を備え、前記第２接続部は、並列配置された複数本の前記第２のケーブルと電気的に接触して接地させる接地部材を備え、前記接地部材は、前記第２のケーブルの配列方向に延設され、一端側が前記ハウジングに支持されるとともに、他端側が前記収容部に支持される。【選択図】図６
2016171007.tif 000002
【特許請求の範囲】
【請求項１】
第１のケーブルを接続する第１接続部と、
第２のケーブルを接続する、前記第１接続部と並列配置される第２接続部と、
前記第１接続部と前記第２接続部とを備えるハウジングと、を備え、
前記第１接続部は、前記第１のケーブルを収容する収容部を備え、
前記第２接続部は、並列配置された複数本の前記第２のケーブルと電気的に接触して接地させる接地部材を備え、
前記接地部材は、前記第２のケーブルの配列方向に延設され、一端側が前記ハウジングに支持されるとともに、他端側が前記収容部に支持される、
ことを特徴とする配線装置。
【請求項２】
第１のケーブルを接続する第１接続部と、
第２のケーブルを接続する、前記第１接続部と並列配置される第２接続部と、
前記第１接続部と前記第２接続部とを備えるハウジングと、を備え、
前記第２接続部は、並列配置された複数本の前記第２のケーブルと電気的に接触して接地させる接地部材を備え、
前記接地部材は、前記第２のケーブルの配列方向に延設され、一端側が前記ハウジングに支持されるとともに、他端側が前記第１接続部と前記第２接続部との間に配置された壁部に支持される、
ことを特徴とする配線装置。
【請求項３】
請求項１または請求項２に記載の配線装置において、前記第１のケーブルは、前記第１接続部において圧着固定され、
前記第２のケーブルは、前記第２接続部において半田固定される、
ことを特徴とする配線装置。
【請求項４】
請求項１から請求項３のいずれか一項に記載の配線装置において、前記第１のケーブルはより線ケーブルであり、
前記第２のケーブルは細線同軸ケーブルである、
ことを特徴とする配線装置。
【発明の詳細な説明】
【技術分野】
【０００１】
本発明は電子機器等に用いられるコネクタに代表される、ケーブルを接続する配線装置に関する。
【背景技術】
【０００２】
電子機器、例えば原稿を読み取るスキャナには、特許文献１に示される様に自動原稿搬送を行う搬送経路を挟んで２つの原稿読み取り用センサーを備え、原稿の自動搬送を行いつつ両面を読み取り可能に構成されたものがある。
【０００３】
この様なスキャナでは、原稿搬送経路を開放する為に上部ユニットが下部ユニットに対して回動可能に設けられている。上部ユニットには画像読取センサー、及び操作パネルが設けられており、これら画像読取センサーと操作パネルとが、下部ユニットに設けられた制御部とケーブルによって接続されている。
【０００４】
画像読取センサーと制御部とを接続するケーブルには、信号の品質を確保する為に例えば細線同軸ケーブルを用いる場合があり、操作パネルと制御部とを接続するケーブルには、画像読み取り信号以外の信号や電力を供給する為に例えばより線ケーブルを用いる場合がある。即ち、制御部には複数種類の規格の異なるケーブルが接続される。
【先行技術文献】
【特許文献】
【０００５】
【特許文献１】特開２０１４−０５８３５６号公報
【発明の概要】
【発明が解決しようとする課題】
【０００６】
上記の様に規格の異なる複数種類のケーブルを制御基板に接続する為には、制御基板にそれぞれの規格に対応したコネクタを設ける必要がある。一方、電子機器にはより一層の小型化が要求されているが、上記の様に複数種類のケーブルを制御基板に接続する為にそれぞれの規格に応じたコネクタを設ける構成では、制御基板上のコネクタ設置スペースが増え、小型化の要請に応えることができない。その為、一のコネクタ内に規格の異なる複数種類のケーブルを接続する構成が求められる。
【０００７】
他方、細線同軸用のコネクタには接地用のグランドバーが設けられている。複数種類の規格の異なるケーブルのうち細線同軸ケーブルの様にコネクタ内部での接地処理の必要があるケーブルと、コネクタ内部での接地処理の必要がないケーブルとの複合コネクタを構築する場合、グランドバーの処理が問題となる。
【０００８】
そこで本発明は以上の様な状況に鑑み成されたものであり、その目的は、複数種類の規格の異なるケーブル、特にコネクタ内部での接地処理の必要があるケーブルと接地処理の必要のないケーブルとを一のコネクタに接続する場合の接地処理に配慮された配線装置を提供することにある。
【課題を解決するための手段】
【０００９】
上記課題を解決する為の、本発明の第１の態様に係る配線装置は、第１のケーブルを接続する第１接続部と、第２のケーブルを接続する、前記第１接続部と並列配置される第２接続部と、前記第１接続部と前記第２接続部とを備えるハウジングと、を備え、前記第１接続部は、前記第１のケーブルを収容する収容部を備え、前記第２接続部は、並列配置された複数本の前記第２のケーブルと電気的に接触して接地させる接地部材を備え、前記接地部材は、前記第２のケーブルの配列方向に延設され、一端側が前記ハウジングに支持されるとともに、他端側が前記収容部に支持されることを特徴とする。
【００１０】
本態様による配線装置は、第１のケーブルを接続する第１接続部と、第２のケーブルを接続する、前記第１接続部と並列配置される第２接続部と、前記第１接続部と前記第２接続部とを備えるハウジングと、を備えている。前記第１接続部は、前記第１のケーブルを収容する収容部を備え、前記第２接続部は、並列配置された複数本の前記第２のケーブルと電気的に接触して接地させる接地部材を備えている。そして前記接地部材は、前記第２のケーブルの配列方向に延設され、一端側が前記ハウジングに支持されるとともに、他端側が前記収容部に支持されるので、前記接地部材の片持ち支持を回避して、前記接地部材を確実に支持することができる。
【００１１】
従って本態様によれば、複数種類の異なる規格のケーブル、特にハウジング内部での接地処理の必要があるケーブルと接地処理の必要のないケーブルとを一のハウジングに接続する場合の接地処理に配慮された配線装置を得ることができる。
【００１２】
本発明の第２の態様は、第１のケーブルを接続する第１接続部と、第２のケーブルを接続する、前記第１接続部と並列配置される第２接続部と、前記第１接続部と前記第２接続部とを備えるハウジングと、を備え、前記第２接続部は、並列配置された複数本の前記第２のケーブルと電気的に接触して接地させる接地部材を備え、前記接地部材は、前記第２のケーブルの配列方向に延設され、一端側が前記ハウジングに支持されるとともに、他端側が前記第１接続部と前記第２接続部との間に配置された壁部に支持されることを特徴とする。
【００１３】
本態様による配線装置は、第１のケーブルを接続する第１接続部と、第２のケーブルを接続する、前記第１接続部と並列配置される第２接続部と、前記第１接続部と前記第２接続部とを備えるハウジングと、を備えている。前記第１接続部は、前記第１のケーブルを収容する収容部を備え、前記第２接続部は、並列配置された複数本の前記第２のケーブルと電気的に接触して接地させる接地部材を備えている。そして前記接地部材は、前記第２のケーブルの配列方向に延設され、一端側が前記ハウジングに支持されるとともに、他端側が前記第１接続部と前記第２接続部との間に配置された壁部に支持されるので、前記接地部材の片持ち支持を回避して、前記接地部材を確実に支持することができる。
【００１４】
従って本態様によれば、複数種類の異なる規格のケーブル、特にハウジング内部での接地処理の必要があるケーブルと接地処理の必要のないケーブルとを一のハウジングに接続する場合の接地処理に配慮された配線装置を得ることができる。
【００１５】
本発明の第３の態様は、第１のまたは第２の態様において、前記第１のケーブルは、前記第１接続部において圧着固定され、前記第２のケーブルは、前記第２接続部において半田固定されることを特徴とする。
【００１６】
本態様によれば、前記第１のケーブルが前記第１接続部において圧着固定され、前記第２のケーブルが前記第２接続部において半田固定される構成において、上述した第１のまたは第２の態様の作用効果を得ることができる。
【００１７】
本発明の第４の態様は、第１から第３の態様のいずれかにおいて、前記第１のケーブルはより線ケーブルであり、前記第２のケーブルは細線同軸ケーブルであることを特徴とする。
【００１８】
本態様によれば、前記第１のケーブルがより線ケーブルであり、前記第２のケーブルが細線同軸ケーブルである構成において、上述した第１のまたは第２の態様の作用効果を得ることができる。
【図面の簡単な説明】
【００１９】
【図１】本発明に係る画像読取装置を示す外観斜視図。
【図２】本発明に係る画像読取装置における給送状態を示す斜視図。
【図３】本発明に係る画像読取装置における給送経路を示す側断面図。
【図４】本発明に係る画像読取装置の構成を示すブロック図。
【図５】本発明に係る画像読取装置において下部ユニットから上部ユニットへ延びる配線ケーブルを示す斜視図。
【図６】第１の実施例に係る配線装置を備える配線ケーブルを示す平面図。
【図７】（Ａ）は第１の実施例に係る配線装置の平面図であり、（Ｂ）は第１の実施例に係る配線装置の側面図。
【図８】第１の実施例に係る配線装置の結線状態を示す説明図。
【図９】（Ａ）は第２の実施例に係る配線装置の平面図であり、（Ｂ）は第２の実施例に係る配線装置の側面図。
【発明を実施するための形態】
【００２０】
以下、本発明の実施の形態を図面に基づいて説明する。尚、各実施例において同一の構成については、同一の符号を付し、最初の実施例においてのみ説明し、以後の実施例においてはその構成の説明を省略する。
【００２１】
図１は本発明に係る画像読取装置を示す外観斜視図であり、図２は本発明に係る画像読取装置における給送状態を示す斜視図であり、図３は本発明に係る画像読取装置における給送経路を示す側断面図であり、図４は本発明に係る画像読取装置の構成を示すブロック図であり、図５は本発明に係る画像読取装置において下部ユニットから上部ユニットへ延びる配線ケーブルを示す斜視図である。
【００２２】
図６は第１の実施例に係る配線装置を備える配線ケーブルを示す平面図であり、図７（Ａ）は第１の実施例に係る配線装置の平面図であり、図７（Ｂ）は第１の実施例に係る配線装置の側面図であり、図８は第１の実施例に係る配線装置の結線状態を示す説明図であり、図９（Ａ）は第２の実施例に係る配線装置の平面図であり、図９（Ｂ）は第２の実施例に係る配線装置の側面図である。
【００２３】
また、各図において示すＸ−Ｙ−Ｚ座標系はＸ方向が装置幅方向であるとともに用紙幅方向、Ｙ方向が記録装置の奥行き方向及び用紙搬送方向、Ｚ方向が装置高さ方向を示している。尚、各図において−Ｙ方向を装置前面側とし、＋Ｙ方向側を装置背面側とする。
【００２４】
＜＜＜画像読取装置の概要＞＞＞
図１及び図２を参照して画像読取装置１０について説明する。本実施例において画像読取装置１０は、用紙Ｐの表面及び裏面の少なくとも一面を読み取り可能なドキュメントスキャナーとして構成されている。画像読取装置１０は、上部ユニット１２と、下部ユニット１４と、カバー部１６と、排紙トレイ１８とを備えている。
【００２５】
上部ユニット１２は下部ユニット１４に対して回動可能に下部ユニット１４に取り付けられている。上部ユニット１２は、下部ユニット１４に対して閉じて下部ユニット１４とともに用紙Ｐの給送経路の一部を構成する給送姿勢（図２参照）と、下部ユニット１４に対して装置前面側に回動して用紙Ｐの給送経路の一部を露出させて用紙Ｐの紙詰まりの処理を容易に行うことができるメンテナンス姿勢（不図示）とを取り得る。
【００２６】
下部ユニット１４の背面側の上部にはカバー部１６が設けられている。カバー部１６は、下部ユニット１４に対して回動可能に下部ユニット１４に取り付けられている。カバー部１６は、図１に示すように上部ユニット１２の上部及び給送口２０（図２及び図３参照）を覆う非給送状態と、図２に示すように非給送状態から装置背面側に回動し、給送口２０を開放するとともにカバー部１６の裏面１６ａが用紙Ｐの載置部を構成する給送状態とを取り得る。
【００２７】
また、下部ユニット１４の装置前面側には用紙Ｐを排出する排出口２２が設けられている。また、下部ユニット１４は、排出口２２から装置前方側に向けて引き出し可能な排紙トレイ１８を備えている。排紙トレイ１８は、下部ユニット１４の底部に収納された状態（図１参照）と、装置前面側に引き出された状態（図２参照）とを取り得る。また、本実施例において排紙トレイ１８は複数のトレイ部材を連結して構成されており、排出される用紙Ｐの長さに応じて、排出口２２からの引き出し長さを調整可能である。
【００２８】
＜＜＜画像読取装置における給送経路について＞＞＞
次いで、図３を参照して、画像読取装置１０の給送経路について説明する。下部ユニット１４に対して装置背面側に回動した姿勢にあるカバー部１６の裏面１６ａに用紙Ｐが載置される。裏面１６ａに載置された用紙Ｐは、第１給送ローラー２４により給送方向下流側に給送される。第１給送ローラー２４の給送方向下流側には第２給送ローラー２６が設けられ、用紙Ｐをさらに給送方向下流側に給送する。尚、図示しないが第１給送ローラー２４が設けられた位置には用紙戻しレバーが設けられ、用紙Ｐの重送を防止している。
【００２９】
第２給送ローラー２６の給送方向下流側には搬送ローラー対２８、画像読取部３０及び排出ローラー対３２が設けられている。第２給送ローラー２６により給送方向下流側に給送された用紙Ｐは搬送ローラー対２８にニップされて、搬送ローラー対２８の下流側に位置する画像読取部３０に搬送される。
【００３０】
ここで、画像読取部３０は、上部ユニット１２側に設けられた上部画像読取センサー３４と、下部ユニット１４側に設けられた下部画像読取センサー３６とを備えている。本実施例において、上部画像読取センサー３４及び下部画像読取センサー３６は一例として密着型イメージセンサーモジュール（ＣＩＳＭ）として構成されている。
【００３１】
用紙Ｐは、画像読取部３０において用紙Ｐの表面及び裏面の少なくとも一方の面の画像を読み取られた後、画像読取部３０の搬送方向下流側に位置する排出ローラー対３２にニップされて排出口２２から排紙トレイ１８に向けて排出される。尚、図２における一点鎖線は用紙Ｐの給送経路を示している。
【００３２】
また、本実施例において第１給送ローラー２４、第２給送ローラー２６、搬送ローラー対２８の駆動ローラー及び排出ローラー対３２の駆動ローラーは、少なくとも１つの駆動源（不図示）により回転駆動させられる。
【００３３】
また、図４を参照するに本実施例において下部ユニット１４は制御部３８を備えている。本実施例において制御部３８は、複数の電子部品を備える電気回路として構成されている。制御部３８は、上部画像読取センサー３４、下部画像読取センサー３６、重送検出センサー４０、キャリアシート検出センサー４２及び前記駆動源を制御している。重送検出センサー４０は、給送経路における用紙Ｐの重送を検出するセンサーであり、給送経路に沿って少なくとも１つが給送経路に配置されている。また、紙送り検出センサーは、給送経路における用紙Ｐの給送状態を検出するセンサーであり、給送経路に沿って少なくとも１つが給送経路に配置されている。
【００３４】
尚、キャリアシート検出センサー４２とは、画像読取装置１０における給送経路にキャリアシートが給送された際、キャリアシートを検出するセンサーである。ここで、キャリアシートとは、所定サイズ以上の原稿を折り畳んで格納する透明な原稿格納シートのことである。キャリアシートに原稿を折り畳んだ状態で格納し、キャリアシートを画像読取装置１０の給送経路に給送することにより、画像読取部３０においてキャリアシートに格納された原稿の上面及び下面の両面の読み取りを行うことができる。
【００３５】
また、制御部３８は画像読取装置１０における用紙Ｐの給送及び画像読取動作を制御するように構成されている。また、制御部３８は外部（ＰＣなど）からの指示で画像読取装置１０における原稿読取動作の実行に必要な動作を制御してもよい。
【００３６】
尚、本実施例において下部ユニット１４の制御部３８と上部ユニット１２に設けられた制御対象、すなわち本実施例では上部画像読取センサー３４及び重送検出センサー４０等とは配線ケーブル４４により電気的に接続されている。
【００３７】
■■■第１の実施例■■■■
図５に示すように、下部ユニット１４の下部において装置前面側には、上部ユニット１２を下部ユニット１４に対して回動させるヒンジ部４６が設けられている。本実施例において下部ユニット１４の制御部３８から延出する配線ケーブル４４は、ヒンジ部４６を介して上部ユニット１２に向けて延びている。
【００３８】
図６は配線ケーブル４４を示している。配線ケーブル４４の両端には本実施例に係る配線装置４８が取り付けられている。図７（Ａ）及び図７（Ｂ）に示すように配線装置４８は、回路基板等に接続されるコネクタとしてのハウジング５０として構成され、ハウジング５０は第１接続部５０ａと第２接続部５０ｂと、回路基板等に接続される接続端子部５０ｃとを備えている。ハウジング５０において、一方の側の端部には第１接続部５０ａと第２接続部５０ｂとが並列に配置され、他方の側には接続端子部５０ｃが設けられている。
【００３９】
本実施例において、第１接続部５０ａには収容部５２が設けられている。収容部５２は、箱状に形成され、該箱状の収容部５２内は第１接続部５０ａと第２接続部５０ｂとが並列に配置された方向において複数の区画に分けられている。各区画には、接触子（不図示）が設けられている。本実施例において第１接続部５０ａの収容部５２に設けられた各接触子には、「第１のケーブル」としてのより線ケーブル５４（図６参照）がそれぞれ接続される。より線ケーブル５４の端部には金具（不図示）が取り付けられており、該金具を収容部５２の前記区画に圧入することにより線ケーブル５４は接触子に圧着固定される。尚、本実施例においてより線ケーブル５４とは、一例として複数の電線を撚り合わせたケーブルである。
【００４０】
また、第２接続部５０ｂには、第１接続部５０ａと第２接続部５０ｂとが並列に配置された方向において「第２のケーブル」としての複数の細線同軸ケーブル５６（図６参照）が並列に配列されている。第２接続部５０ｂにおいて複数の細線同軸ケーブル５６は半田付けにより第２接続部５０ｂに固定されている。尚、本実施例において細線同軸ケーブルとは、一例として中心導体に誘導体、シールドジャケット（外皮）が被覆されているケーブルである。
【００４１】
また、第２接続部５０ｂには第１接続部５０ａと第２接続部５０ｂとが並列に配置された方向に延びる接地部材５８が設けられている。接地部材５８は、第２接続部５０ｂに並列に配置されている細線同軸ケーブル５６と電気的に接触しており、細線同軸ケーブル５６を電気的に接地（アース）させる。また、本実施例において接地部材５８の一端はハウジング５０に支持され、他端は第１接続部５０ａの収容部５２に支持されている。
【００４２】
また、図８に示すように本実施例では、一例としてハウジング５０において１番目から１０番目までの接触子が第２接続部５０ｂとして振り分けられ、１２番目から４１番目までの接触子が第１接続部５０ａとして振り分けられている。尚、１１番目の接触子には、より線ケーブル５４及び細線同軸ケーブル５６のいずれも接続されない設定とされている。
【００４３】
本実施例によれば、複数種類の異なる規格のケーブル、特にハウジング５０内部での接地処理の必要がある細線同軸ケーブル５６と接地処理の必要のないより線ケーブル５４とを一のハウジング５０に接続する場合の接地処理に配慮された配線装置４８を得ることができる。
【００４４】
■■■第２の実施例■■■■
図９（Ａ）及び図９（Ｂ）を参照して第２の実施例に係る配線装置６０について説明する。本実施例では、より線ケーブル５４及び細線同軸ケーブル５６のいずれも接続されない１１番目の接触子が設けられている領域に壁部を設けている点で第１の実施例と異なる。その他の構成は、第１の実施例と同様の構成であるので説明を省略する。
【００４５】
本実施例における配線装置６０のハウジング６２においても第１接続部６２ａと、第２接続部６２ｂと、接続端子部６２ｃが設けられている。また、第１接続部６２ａと第２接続部６２ｂとは並列に配置されている。そして、ハウジング６２において第１接続部６２ａと第２接続部６２ｂとの間には、第１接続部６２ａと第２接続部６２ｂとを仕切る壁部６４が形成されている。また、第２接続部６２ｂには第１接続部６２ａと第２接続部６２ｂとが並列に配置された方向に延びる接地部材６６が設けられている。本実施例において接地部材６６の一端はハウジング６２に支持され、他端は壁部６４に支持されている。
【００４６】
本実施例では、複数種類の異なる規格のケーブル、特にハウジング６２内部での接地処理の必要がある細線同軸ケーブル５６と接地処理の必要のないより線ケーブル５４とを一のハウジング６２に接続する場合の接地処理に配慮された配線装置６０を得ることができる。
【００４７】
＜＜＜第１の実施例及び第２の実施例の変更例＞＞＞
（１）本実施例において制御部３８から延出する配線ケーブル４４に上部画像読取センサー３４及び重送検出センサー４０等が電気的に接続される構成としたが、この構成に代えて、上部ユニット１２にタッチパネル等の表示手段及び操作手段を設け、これらの表示手段及び操作手段と制御部３８を配線ケーブル４４で電気的に接続する構成としてもよい。特に表示手段が液晶パネル（ＬＣＤ）である場合において小振幅差動信号（ＬＶＤＳ）で駆動されるものにおいて有効である。
（２）本実施例において制御部３８から延出する配線ケーブル４４に上部画像読取センサー３４及び重送検出センサー４０等が電気的に接続される構成としたが、この構成に代えて、制御部３８に配線ケーブル４４で作動信号、その他の信号、電源を必要とする回路を接続する構成としてもよい。
（３）本実施例では、第１のケーブルとしてより線ケーブル５４、第２のケーブルとして細線同軸ケーブル５６としたが、この構成に代えて、種々様々なケーブルを採用してもよい。
【００４８】
上記説明をまとめると、配線装置４８は、より線ケーブル５４を接続する第１接続部５０ａと、細線同軸ケーブル５６を接続する、第１接続部５０ａと並列配置される第２接続部５０ｂと、第１接続部５０ａと前記第２接続部５０ｂとを備えるハウジング５０とを備えている。第１接続部５０ａは、より線ケーブル５４を収容する収容部５２を備えている。第２接続部５０ｂは、並列配置された複数本の細線同軸ケーブル５６と電気的に接触して接地させる接地部材５８を備えている。接地部材５８は、細線同軸ケーブル５６の配列方向に延設され、一端側がハウジング５０に支持されるとともに、他端側が収容部５２に支持されている。
【００４９】
また、配線装置６０は、より線ケーブル５４を接続する第１接続部６２ａと、第２のケーブルを接続する、前記第１接続部６２ａと並列配置される第２接続部６２ｂと、第１接続部６２ａと第２接続部６２ｂとを備えるハウジング６２とを備えている。第２接続部６２ｂは、並列配置された複数本の細線同軸ケーブル５６と電気的に接触して接地させる接地部材６６を備えている。接地部材６６は、細線同軸ケーブル５６の配列方向に延設され、一端側がハウジング６２に支持されるとともに、他端側が第１接続部６２ａと第２接続部６２ｂとの間に配置された壁部６４に支持されている。
【００５０】
より線ケーブル５４は、第１接続部５０ａ、６２ａにおいて圧着固定され、細線同軸ケーブル５６は、第２接続部５０ｂ、６２ｂにおいて半田固定される。第１のケーブルはより線ケーブル５４であり、第２のケーブルは細線同軸ケーブル５６である。
【符号の説明】
【００５１】
１０  画像読取装置、１２  上部ユニット、１４  下部ユニット、１６  カバー部、
１６ａ  裏面、１８  排紙トレイ、２０  給送口、２２  排出口、
２４  第１給送ローラー、２６  第２給送ローラー、２８  搬送ローラー対、
３０  画像読取部、３２  排出ローラー対、３４  上部画像読取センサー、
３６  下部画像読取センサー、３８  制御部、４０  重送検出センサー、
４２  キャリアシート検出センサー、４４  配線ケーブル、４６  ヒンジ部、
４８、６０  配線装置、５０、６２  ハウジング、５０ａ、６２ａ  第１接続部、
５０ｂ、６２ｂ  第２接続部、５０ｃ、６２ｃ  接続端子部、５２  収容部、
５４  より線ケーブル、５６  細線同軸ケーブル、５８、６６  接地部材、６４  壁部、
Ｐ  用紙
【図１】
2016171007.tif 000003
【図２】
2016171007.tif 000004
【図３】
2016171007.tif 000005
【図４】
2016171007.tif 000006
【図５】
2016171007.tif 000007
【図６】
2016171007.tif 000008
【図７】
2016171007.tif 000009
【図８】
2016171007.tif 000010
【図９】
2016171007.tif 000011